(57)【要約】【課題】、無菌雰囲気で殺菌された内容物が充填され、殺菌されたキャップにより密封されたペタロイド形状のボトルや不安定なボトルが、無菌ゾーンから非無菌ゾーンに排出されるときに、排出コンベヤ上で転倒しても、無菌充填機の停止時間を短くできる無菌充填機及び無菌充填方法を提供する。【解決手段】内容物を充填し、キャップにより密封する密封部の下流に、排出部を遮蔽する排出部チャンバーを設ける。【選択図】図１
2018065599.tif 000002
【特許請求の範囲】
【請求項１】
少なくとも殺菌部、充填部及び密封部を有するボトルの無菌充填機において、
前記密封部の下流に、密封後のボトルを無菌ゾーンから非無菌ゾーンに排出する排出装置を備える排出部を遮蔽する排出部チャンバーを設けることを特徴とする無菌充填機。
【請求項２】
請求項１に記載の無菌充填機において、
前記排出装置が少なくとも前記無菌ゾーンから非無菌ゾーンを循環する排出コンベヤを備え、当該排出コンベヤが殺菌剤に浸漬される殺菌剤槽を備えることを特徴とする無菌充填機。
【請求項３】
請求項１又は請求項２に記載の無菌充填機において、
前記排出部チャンバーが、当該排出部チャンバー内に殺菌剤を吹き付ける殺菌剤吹き付けノズルを備えることを特徴とする無菌充填機。
【請求項４】
請求項１乃至請求項３のいずれかに記載の無菌充填機において、
前記排出部チャンバーは、前記排出部チャンバー内に無菌エアを供給する無菌エア供給装置を備えることを特徴とする無菌充填機。
【請求項５】
少なくとも、プリフォーム又はボトルを殺菌する殺菌工程、殺菌された内容物を前記ボトルに無菌雰囲気で充填する充填工程、殺菌されたキャップにより前記内容物が充填された前記ボトルを無菌雰囲気で密封する密封工程からなる無菌充填方法において、
前記密封工程後に、密封された前記ボトルを、遮蔽され無菌雰囲気に維持された排出部チャンバー内に搬送し、当該排出部チャンバーからから非無菌ゾーンに排出することを特徴とする無菌充填方法。
【請求項６】
請求項５に記載の無菌充填方法において、
前記ボトルを前記排出部チャンバー内と前記非無菌ゾーンを循環する排出コンベヤにより搬送することで、前記ボトルを前記排出部チャンバーから前記非無菌ゾーンに排出し、当該排出コンベヤを殺菌剤に浸漬することを特徴とする無菌充填方法。
【請求項７】
請求項５又は請求項６に記載の無菌充填方法において、
前記排出部チャンバー内に殺菌剤、水及び無菌加熱エアを順次吹き付けることにより、前記排出部チャンバー内を殺菌することを特徴とする無菌充填方法。
【請求項８】
請求項５乃至請求項７のいずれかに記載の無菌充填方法において、
前記排出部チャンバー内に無菌エアを供給することにより、前記排出部チャンバー内を無菌雰囲気に維持することを特徴とする無菌充填方法。
【発明の詳細な説明】
【技術分野】
【０００１】
本発明は、ボトルに飲料等を無菌雰囲気で充填、密封した製品を、無菌ゾーンから非無菌ゾーンに排出するために、無菌ゾーンに製品を排出するチャンバーを設ける無菌充填機及び無菌充填方法に関する。
【背景技術】
【０００２】
従来、プリフォームを連続走行させながら、当該プリフォームを加熱炉内に導入し、加熱炉内でプリフォームを容器に成形するための温度まで加熱し、この加熱されたプリフォームに気体を吹き込み、ボトルに成形し、当該ボトルを殺菌し、殺菌された内容物を充填し、殺菌されたキャップにより密封する、容器の殺菌装置が提案されている（特許文献１）。このような装置において、密封されたボトルは、無菌ゾーンでグリッパによるボトルのサポートリングを把持する宙吊りによる搬送から解放され、無菌ゾーンから非無菌ゾーンにコンベヤにより排出されている。
【０００３】
また、プリフォームを殺菌し、成形したボトルに殺菌された内容物を充填し、殺菌されたキャップにより密封する容器の殺菌装置も提案されている（特許文献２）。この場合も密封されたボトルは、無菌ゾーンでグリッパによるボトルのサポートリングを把持する宙吊りによる搬送から解放され、無菌ゾーンから非無菌ゾーンにコンベヤにより排出されている。
【０００４】
無菌充填機において密封されたボトルは、無菌ゾーンでグリッパによるボトルのサポートリングの把持から解放され、コンベヤに載置される。密封されたボトルが載置されるコンベヤは、無菌ゾーンを循環走行する第１のコンベヤであるが、これ以外に、非無菌ゾーンを循環走行する第２のコンベヤ、及び第１のコンベヤと第２のコンベヤの端部にオーバーラップして走行する中間コンベヤが設けられている。これらのコンベヤ上を走行させることにより、密封されたボトルを非無菌ゾーンに排出することが提案されている（特許文献３）。この場合、中間コンベヤは無菌ゾーンと非無菌ゾーンを循環走行しており、非無菌ゾーンから無菌ゾーンに菌等を持ち込むことのないように、殺菌剤のプールの液中に浸漬されることにより常に殺菌されている。
【０００５】
また、中間コンベヤの代わりに、無菌ゾーンに設けられたボトルのサポートリングを把持する搬送装置により、非無菌ゾーンに設けたコンベヤに受け渡す装置も提案されている（特許文献４）。この場合、無菌ゾーンと非無菌ゾーンを分ける遮蔽板は、上方から下方に斜めに角度を付けて設けられおり、開口部の面積が大きくなっている。
【先行技術文献】
【特許文献】
【０００６】
【特許文献１】特開２０１０−１８９０２３号公報
【特許文献２】特開２０１５−１１６８１４号公報
【特許文献３】特開平１１−７９３８５号公報
【特許文献４】特開２００３−１４６４２７号公報
【発明の概要】
【発明が解決しようとする課題】
【０００７】
ボトルの無菌充填機には、プリフォームを供給し、ボトルに成形後、当該ボトルを殺菌し、無菌雰囲気で内容物を充填、密封する形態と、プリフォームを供給し、当該プリフォームを殺菌し、殺菌したプリフォームを成形して得たボトルに無菌雰囲気で内容物を充填、密封する形態がある。いずれの無菌充填機も、充填後、殺菌されたキャップをボトルの口部に巻き締め、密封して得られたボトルを無菌ゾーンから非無菌ゾーンに排出しなければならない。ボトルを排出するために、無菌ゾーンには開口部が設けられている。しかし、当該開口部から菌等が侵入すると、無菌性が維持できなくなる。そのため、無菌ゾーンを無菌エアで陽圧に保ち、無菌ゾーンの無菌性を維持している。
【０００８】
空気を介した菌等の無菌ゾーンへの侵入は、無菌ゾーンを陽圧に保持することで防止できる。しかし、ボトルの排出装置に付着する菌等の侵入は、無菌ゾーンを陽圧に保つことでは防止できない。特許文献４の方法は、排出時にグリップコンベヤを使用しているが、高速化した場合、グリップコンベヤからの解放に際してボトルが転倒することがある。また、開口部に傾斜を設けているため、開口部の面積が大きくなり、陽圧による無菌性の維持が困難である。
【０００９】
そこで、特許文献３の方法が採用されている。しかし、無菌ゾーンの第１コンベヤと無菌ゾーンと非無菌ゾーンにオーバーラップして設けられる中間コンベヤの端部を重ね合わせていることから、第１コンベヤの中心部にはボトルを搬送するコンベヤチェーンがなく、中間コンベヤのコンベヤチェーンは幅が狭い。そのために、通常のボトル形状では問題ないが、炭酸飲料を内容物とするボトルの場合、無菌ゾーンで転倒することがある。炭酸飲料を内容物とするボトルの底はペタロイド形状となっており、ペタロイドの突起部分が第１コンベヤの端部に乗らない場合や、ペタロイドの突起部分が中間コンベヤの幅を超えてしまった場合に、ボトルが傾き、転倒することがある。また、無菌ゾーンの第１コンベヤと中間コンベヤの端部を重ね合わせずに、コンベヤを構成するコンベヤチェーンの長さを変えて接続することにより、第１コンベヤから中間コンベヤへボトルを移動させる方法もある。しかし、この方法でもコンベヤチェーンの接続部の隙間にペタロイドの突起が挟まって、ボトルが無菌ゾーンで転倒することがある。無菌ゾーンでボトルが転倒すると、無菌充填機を稼働したまま、外部からの操作でボトルを排出することは困難となる。その場合、無菌充填機の運転を停止し、転倒したボトルを除去しなければならない。このような操作を行うと、無菌ゾーンの無菌性が損なわれる。この後、無菌充填機の運転を再開するためには、無菌ゾーンの殺菌を再度行わなければならない。結果として、無菌充填機は長時間停止しなければならず、事業者は多大な生産阻害を蒙ることになる。また、通常のボトル形状であっても、接地面積が小さいボトルや、重心が高く、ふらつきやすいボトルは転倒して、同様の不都合を生じることがある。
【００１０】
本発明は、上記の課題を解決するためになされたものであって、無菌雰囲気で殺菌された内容物が充填され、殺菌されたキャップにより密封されたペタロイド形状のボトルや不安定なボトルが、無菌ゾーンから非無菌ゾーンに排出されるときに、コンベヤ上で転倒しても、無菌充填機の停止時間を短くすることができる無菌充填機及び無菌充填方法を提供することを目的とする。
【課題を解決するための手段】
【００１１】
本発明に係る無菌充填機は、少なくとも殺菌部、充填部及び密封部を有するボトルの無菌充填機において、前記密封部の下流に、密封後のボトルを無菌ゾーンから非無菌ゾーンに排出する排出装置を備える排出部を遮蔽する排出部チャンバーを設けることを特徴とする。
【００１２】
また、本発明に係る無菌充填機は、前記排出装置が少なくとも前記無菌ゾーンから前記非無菌ゾーンを循環する排出コンベヤを備え、当該排出コンベヤが殺菌剤に浸漬される殺菌剤槽を備えると好適である。
【００１３】
また、本発明に係る無菌充填機は、前記排出部チャンバーに前記排出部チャンバー内を殺菌する排出部チャンバー殺菌装置が設けられ、当該排出部チャンバー殺菌装置が、少なくとも前記排出部チャンバー内に殺菌剤を吹き付ける殺菌剤吹き付けノズルを備えると好適である。
【００１４】
また、本発明に係る無菌充填機は、前記排出部チャンバーが前記排出部チャンバー内に無菌エアを供給する無菌エア供給装置を備えると好適である。
【００１５】
本発明に係る無菌充填方法は、少なくとも、プリフォーム又はボトルを殺菌する殺菌工程、殺菌された内容物を前記ボトルに無菌雰囲気で充填する充填工程、殺菌されたキャップにより前記内容物が充填された前記ボトルを無菌雰囲気で密封する密封工程からなる無菌充填方法において、前記密封工程後に、密封された前記ボトルを、遮蔽され無菌雰囲気に維持された排出部チャンバー内に搬送し、当該排出部チャンバーから非無菌ゾーンに排出することを特徴とする。
【００１６】
また、本発明に係る無菌充填方法は、前記ボトルを前記排出部チャンバー内と前記非無菌ゾーンを循環する排出コンベヤにより搬送することで、前記ボトルを前記排出部チャンバーから前記非無菌ゾーンに排出し、当該コンベヤを殺菌剤に浸漬すると好適である。
【００１７】
また、本発明に係る無菌充填方法は、前記排出部チャンバー内に殺菌剤、水及び無菌加熱エアを順次吹き付けることにより、前記排出部チャンバー内を殺菌すると好適である。
【００１８】
また、本発明に係る無菌充填方法は、前記排出部チャンバー内に無菌エアを供給することにより、前記排出部チャンバー内を無菌雰囲気に維持すると好適である。
【発明の効果】
【００１９】
本発明の無菌充填機及び無菌充填方法によれば、殺菌された内容物を無菌雰囲気で充填し、殺菌されたキャプにより密封したボトルの底部がペタロイド形状や不安定な形状であるために、ボトルが排出時に無菌ゾーンで転倒しても、無菌充填機の停止時間を短くすることができる。
【図面の簡単な説明】
【００２０】
【図１】本発明の実施の形態に係る無菌充填機の一例の概略を示す平面図である。
【図２】本発明の実施の形態に係る無菌充填機により生産される製品のボトル形状の一例を示す側面図である。
【図３】本発明の実施の形態に係る無菌充填機により生産される製品のボトル形状の変形例を示す側面図である。
【図４】本発明の実施の形態に係る無菌充填機の成形部の工程を示し、（Ａ）はプリフォーム供給工程を、（Ｂ）はプリフォーム加熱工程を、（Ｃ）はブロー成形工程を、（Ｄ）はボトル取り出し工程を示す。
【図５】本発明の実施の形態に係る無菌充填機の殺菌部及び充填部の工程を示し、（Ｅ）は殺菌剤ガス吹き付け工程を、（Ｆ）はエアリンス工程を、（Ｇ）は充填工程を、（Ｈ）は密封工程を示す。
【図６】本発明の実施の形態に係る無菌充填機に組み込まれた殺菌剤ガス生成器を示す。
【図７】本発明の実施の形態に係る無菌充填機に組み込まれた排出部チャンバー殺菌装置を示す。
【図８】本発明の実施の形態に係る無菌充填機に組み込まれた排出コンベヤを示す側面図である。
【図９】本発明の実施の形態に係る無菌充填機に組み込まれた排出コンベヤを示す平面図である。
【図１０】本発明の実施の形態に係る無菌充填機のプリフォームの殺菌部の工程を示し、（Ｉ）はプリフォームへの殺菌剤ガス吹き付け工程を、（Ｊ）はプリフォームへのエア吹き付け工程を示す。
【発明を実施するための形態】
【００２１】
以下に本発明を実施するための形態について図面を参照して説明する。
【００２２】
最初にプリフォームの供給から成形部、殺菌部、充填部、排出部からなる無菌充填機の概要を図１により説明し、各部の詳細を図４、図５、図６、図７、図８及び図９により説明する。この実施の形態によれば、ボトルの底がペタロイド形状や不安定な形状であることにより、無菌ゾーンの排出コンベヤ上でボトルが転倒しても、排出部チャンバー内の無菌性を解除するだけで、転倒したボトルを排除することができる。その後、排出部チャンバー内のみの殺菌により無菌充填機を再稼働することができるために、無菌充填機の停止時間を短くすることができる。
【００２３】
（無菌充填機及び無菌充填方法の概要）
図１に示すように、本実施形態に係る無菌充填機は、プリフォーム１を供給するプリフォーム供給装置５、プリフォーム１をボトル２に成形する成形部１６、成形されたボトル２を殺菌する殺菌部３０、殺菌されたボトル２をエアリンスするエアリンス部３４及びエアリンスされたボトル２に殺菌された内容物を充填する充填部３９、殺菌されたキャップ４により密封する密封部４４を備えている。さらに、密封されたボトル２が排出コンベヤ４８に載置され、非無菌ゾーンに排出される排出部４７を備える。
【００２４】
成形部１６は成形部チャンバー１７、殺菌部３０は殺菌部チャンバー３３、エアリンス部３４はエアリンス部チャンバー３６、充填部３９と密封部４４は充填部チャンバー４１及び排出部４７は排出部チャンバー４９により各々遮蔽されている。殺菌部３０で発生する殺菌剤のガス若しくはミスト又はこれらの混合物が成形部１６に流入しないように、成形部１６と殺菌部３０の間には雰囲気遮断チャンバー２７が設けられている。殺菌部３０で発生する殺菌剤のガス若しくはミスト又はこれらの混合物は、雰囲気遮断チャンバー２７内が排気されることで、成形部１６に流入することはない。
【００２５】
殺菌部チャンバー３３、エアリンス部チャンバー３６、充填部チャンバー４１及び排出部チャンバー４９には、除菌フィルタにより無菌化された無菌エアが供給され、その内部が陽圧に保持される。陽圧に保持する圧力は、充填部チャンバー４１内が最も高く、エアリンス部チャンバー３６、殺菌部チャンバー３３と上流ほど低く設定される。雰囲気遮断チャンバー２７は排気することで、その内部は大気圧とほぼ同一の圧力に保持される。また、排出部チャンバー４９内の圧力は充填部チャンバー４１内の圧力よりも低く設定される。
【００２６】
（無菌充填機及び無菌充填方法の詳細）
まず、図４（Ａ）に示すプリフォーム１が、図１に示すプリフォーム供給装置５から、プリフォーム供給コンベヤ６により所望の速度で連続的に成形部１６に搬送される。
【００２７】
本実施形態におけるプリフォーム１は試験管状の有底筒状体であり、図４（Ｄ）に示したボトル２と同様な口部１ａがその成形当初に付与される。この口部１ａにはプリフォーム１の成形と同時に雄ネジが形成される。また、プリフォーム１には口部１ａの下部に搬送のためのサポートリング１ｂが形成される。プリフォーム１又はボトル２はこのサポートリング１ｂを介してグリッパ２２により把持され、無菌充填機内を走行する。プリフォーム１は射出成形、圧縮成形等によって成形される。プリフォーム１の材質はポリエチレンテレフタレート、ポリエチレンナフタレート、ポリプロピレン、ポリエチレン等の熱可塑性樹脂からなり、これらの樹脂単体又は混合物であっても構わないし、リサイクルされた熱可塑性樹脂を含んでも構わない。また、バリア性を付与するために、エチレン−ビニルアルコール共重合体、メタキシリレンジアミンのような芳香族アミンをモノマーとするポリアミド等の熱可塑性樹脂を層として、又は混合物として含んでも構わない。
【００２８】
成形部１６に供給されたプリフォーム１は、一定ピッチで多数のグリッパ２２が設けられたホイール７、８により搬送され、加熱炉搬送ホイール９に達する。ここで、図４（Ｂ）のようにグリッパ２２から解放され、プリフォーム１の口部１ａにスピンドル１９が挿入され、加熱炉１２に搬送される。
【００２９】
加熱炉１２に入ったプリフォーム１は、図４（Ｂ）に示すように、赤外線ヒーター１４又はその他の加熱手段によって、後のブロー成形に適した温度まで加熱される。この温度は９０℃から１３０℃であると好適である。
【００３０】
なお、プリフォーム１の口部１ａの温度は、変形等を防止するため７０℃以下の温度に抑えられる。
【００３１】
また、プリフォーム１は図４（Ｂ）に示すように、口部１ａにスピンドル１９が挿入され、回転しながら、加熱炉１２内を搬送される。スピンドル１９は無端チェーン１３に一定間隔で設けられている。無端チェーン１３はプーリ１０及び１１により回転する。スピンドル１９に代えてマンドレルをプリフォーム１に挿入することによって、プリフォーム１を倒立状態で回転させつつ搬送することも可能である。
【００３２】
加熱されたプリフォーム１は、スピンドル１９から解放され、グリッパ２２に把持されて、ホイール１５を経て、ブロー成形機の成形ホイール１８に搬送される。成形ホイール１８に備えられた金型２０により、図４（Ｃ）に示すように、ボトル２にブロー成形される。金型２０及びブローノズル２１は、成形ホイール１８の回りに複数個配置され、成形ホイール１８の回転とともに成形ホイール１８の周りを一定速度で旋回する。加熱されたプリフォーム１が到来すると、金型２０はプリフォーム１を挟み込む。続いてブローノズル２１がプリフォーム１に接合され、図示しない延伸ロッドがブローノズル２１に設けられた孔に導かれ、プリフォーム１内に挿入され、ブローノズル２１からプリフォーム１内に空気等の気体が吹きこまれることにより、金型２０内でボトル２が成形される。成形されたボトル２は、図４（Ｄ）に示すように、金型２０から取り出され、検査ホイール２３に設けられたグリッパ２２によりサポートリング１ｂを把持され、検査ホイール２３に受け渡される。
【００３３】
本発明の実施形態に係る無菌充填機で成形されるボトル２は、図２に示すように底がペタロイド形状である。図３に示すような、底がほぼ平坦なボトル３のようなボトルに炭酸飲料を充填すると、充填直後の内圧の上昇により、底部が凸状に膨らんでしてしまうことがある。そのため、炭酸飲料を充填する場合は、図２に示すような、底部にペタロイド脚２ａを有するペタロイド形状のボトル２が使用される。ペタロイド脚２ａの本数は通常、５〜９本の範囲で任意に設定される。また、ペタロイド脚２ａの谷部の深さは任意に設定される。本発明の実施形態に係る無菌充填機で成形されるボトルは、図３に示す、底がほぼ平坦な一般に使用されるボトル３のような形状でも構わない。特に、底部が平坦でも不安定なボトルには好適である。
【００３４】
成形されたボトル２は、検査ホイール２３の周辺に備えられた検査機材２４により、ボトル温度、ボトル胴部、サポートリング、ボトル口部天面、ボトル底部等が検査され、異常と判断された場合は、図示しない排出装置により、無菌充填機の外部に排出される。  
【００３５】
ボトル温度検査は、ボトル２の表面温度を検査して、ボトル２の良否を判断する。温度センサは、例えば赤外線放射温度計であるが、他の温度計を使用することも可能である。ボトル成形時の余熱がボトル２に残存することが、ボトル２を適正に殺菌するために必要であり、温度センサにより検出される温度は５０℃以上であることが好ましい。
【００３６】
また、ボトル胴部、サポートリング、ボトル口部天面、ボトル底部はカメラにより撮像され、各箇所の状態が検査される。撮像された画像は画像処理装置により処理され、傷、異物、変形、変色等の異常の存否について判断される。許容範囲を超えたボトル２は異常と判断される。
【００３７】
検査機材２４による検査により異常と判断されなかったボトル２は、殺菌部３０で発生する殺菌剤のガス若しくはミスト又はこれらの混合物が成形部１６に流入しないように、成形部１６と殺菌部３０の間に設けられた雰囲気遮断チャンバー２７内のホイール２５、２６を経て、殺菌部３０に搬送される。
【００３８】
殺菌部３０に搬送されたボトル２は、ホイール２８において殺菌される。ボトル２を殺菌するためのボトル２への殺菌剤のガス吹き付け工程を図５（Ｅ）に示す。ボトル２に殺菌剤のガスを吹き付けるため、殺菌剤ガス吹き付けノズル３１が設けられる。殺菌剤ガス吹き付けノズル３１は、その先端のノズル孔が直下を走行するボトル２の口部１ａの開口に正対し得るように固定される。また、必要に応じて殺菌剤ガス吹き付けノズル３１の下方にボトル２の走行路に沿って、図５（Ｅ）に示すように殺菌剤ガス吹き付けトンネル３２が設けられる。殺菌剤ガス吹き付けノズル３１は一本であっても複数本であっても構わない。ボトル２に吹き付けられた殺菌剤のガスがボトル２の内部に流入し、ボトル２の内面を殺菌する。このとき、ボトル２が殺菌剤ガス吹き付けトンネル３２内を走行することで、殺菌剤のガス若しくはミスト又はこれらの混合物が、ボトル２の外面にも流れて、ボトル２の外面が殺菌される。
【００３９】
また、殺菌剤ガス吹き付けノズル３１をボトル２の搬送に追従させ、殺菌剤吹き付けノズル３１をボトル２の内部に挿入して、殺菌剤のガス若しくはミスト又はこれらの混合物をボトル２の内面に吹き付けても構わない。ボトル２から溢れた出た殺菌剤のガス若しくはミスト又はこれらの混合物は、ボトル２の外面に流れボトル２の外面に接触する。殺菌剤が過酸化水素水の場合、ボトル２の内面に吹き付けられる過酸化水素水のガスの過酸化水素濃度は、２ｍｇ／Ｌ〜２０ｍｇ／Ｌが好ましく、より好ましくは５ｍｇ／Ｌ〜１０ｍｇ／Ｌである。
【００４０】
殺菌剤のガス若しくはミスト又はこれらの混合物は、図６に示すように、殺菌剤ガス生成器５０によりガス化される殺菌剤又はガス化された殺菌剤が凝結したミスト又はこれらの混合物である。殺菌剤ガス生成器５０は、殺菌剤を滴状にして供給する二流体スプレーノズルである殺菌剤供給部５１と、この殺菌剤供給部５１から供給された殺菌剤を分解温度以下に加熱して気化させる気化部５２とを備える。殺菌剤供給部５１は、殺菌剤供給路５１ａ及び圧縮空気供給路５１ｂからそれぞれ殺菌剤と圧縮空気を導入して殺菌剤を気化部５２内に噴霧するようになっている。気化部５２は、内外壁間にヒータ５２ａを挟み込んだパイプであり、このパイプ内に吹き込まれた殺菌剤を加熱し気化させる。気化した殺菌剤のガスは殺菌剤ガス吹き付けノズル３１から気化部５２外に噴出する。ヒータ５２ａに換えて誘電加熱により気化部５２を加熱しても構わない。
【００４１】
殺菌剤供給部５１の運転条件としては、例えば圧縮空気の圧力は０．０５ＭＰａ〜０．６ＭＰａの範囲で調整される。また、殺菌剤は重力落下であっても圧力を加えられても構わないし、供給量は自由に設定することができ、例えば殺菌剤は殺菌剤供給路５１ａに、１ｇ／ｍｉｎ．〜１００ｇ／ｍｉｎ．の範囲で供給される。また、気化部５２の内表面は１４０℃から４５０℃に加熱されることで噴霧された殺菌剤が気化する。
【００４２】
殺菌剤のガスは、図５（Ｅ）に示すように殺菌剤ガス吹き付けノズル３１からボトル２に吹き付けられる。殺菌剤のガス若しくはミスト又はこれらの混合物の吹き付け量は任意であるが、吹き付け量は、殺菌剤ガス生成器５０に供給される殺菌剤の量と吹き付け時間により決まる。殺菌剤ガス生成器５０は複数備えても構わない。吹き付け量はボトル２の大きさによっても変動する。
【００４３】
殺菌剤は少なくとも過酸化水素を含有することが好ましい。その含有量は０．５質量％〜６５質量％の範囲が適当である。０．５質量％未満では殺菌力が不足する場合があり、６５質量％を超えると安全上、扱いが困難となる。また、さらに好適なのは０．５質量％〜４０質量％であり、４０質量％以下では扱いがより容易であり、低濃度となるために殺菌後の殺菌剤の残留量を低減できる。
【００４４】
殺菌剤を過酸化水素水とした場合、過酸化水素水のガスの吹き付け量は以下の通りとなる。殺菌剤ガス吹き付けノズル３１からボトル２の内面吹き付けられる過酸化水素水のガスにより、ボトル２の内面に付着する過酸化水素の量は、過酸化水素を３５質量％含む過酸化水素水の量として、３０μＬ／ボトル〜１５０μＬ／ボトルが好ましく、より好ましくは５０μＬ／ボトル〜１００μＬ／ボトルである。また、ボトル２に吹き付けられる過酸化水素水のガスの過酸化水素濃度は、２ｍｇ／Ｌ〜２０ｍｇ／Ｌが好ましく、より好ましくは５ｍｇ／Ｌ〜１０ｍｇ／Ｌである。
【００４５】
また、殺菌剤は水を含んでなるが、メチルアルコール、エチルアルコール、イソプロピルアルコール、ノルマルプロピルアルコール、ブチルアルコールなどのアルコール類、アセトン、メチルエチルケトン、アセチルアセトンなどのケトン類、グリコールエーテル類等の１種又は２種以上を含んでも構わない。
【００４６】
さらに、殺菌剤は過酢酸、酢酸等の有機酸、次亜塩素酸ナトリウム等の塩素化合物、オゾン等殺菌効果を有する化合物、陽イオン界面活性剤、非イオン系界面活性剤、リン酸化合物等の添加剤を含んでも構わない。
【００４７】
殺菌部３０で殺菌されたボトル２は図１に示すように、ホイール２９を経て、エアリンス部３４に搬送される。ボトル２は、図１に示すエアリンスホイール３５において、図５（Ｆ）に示すようにエアリンスノズル３８により無菌エアが吹き付けられる。無菌エアは常温でも構わないが、加熱されることが好ましい。無菌エアは、ボトル２の内部に残存する殺菌剤を排出し、残存する殺菌剤を分解してさらに殺菌効果を高め、ボトル２の内部に異物が存在する場合は排除する効果もある。
【００４８】
エアリンスノズル３８は上下動可能として、無菌エアをボトル２内に吹き込んでも構わない。また、無菌エアではなく、無菌水をボトル２の内部に導入して、ボトル２の内部をリンスしても構わない。さらに無菌エアと無菌水を併用してボトル２をリンスしても構わない。
【００４９】
エアリンス部３４でエアリンスされたボトル２は図１に示すように、ホイール３７を経て、充填部３９に搬送される。充填部３９では、図１に示す充填ホイール４０にて、図４（Ｇ）に示す充填工程のように、充填ノズル４２によりボトル２に内容物が充填される。内容物はあらかじめ殺菌されており、ボトル２と同期的に走行する充填ノズル４２により、ボトル２内に一定量の飲料等の内容物が充填される。
【００５０】
内容物が充填されたボトル２は、図１に示すホイール４３を経て密封部４４に搬送される。密封部４４に設けられた密封ホイール４５では、図５（Ｈ）に示す密封工程のように、あらかじめ殺菌されたキャップ４が、密封ホイール４５に設けられた図示しないキャッパーにより、ボトル２の口部１ａに巻き締められ、ボトル２は密封される。
【００５１】
密封されたボトル２は、密封ホイール４５のグリッパ２２から排出部４７の排出ホイール４６のグリッパ２２に受け渡される。排出ホイール４６に受け渡されたボトル２は排出コンベヤ４８に載置される。排出コンベヤ４８に載置されたボトル２は排出部チャンバー４９内から無菌充填機の外部に排出される。
【００５２】
排出部４７を遮蔽する排出部チャンバー４９内は無菌充填機の稼働前に殺菌される。そのため、図７に示すように排出部チャンバー４９には殺菌剤吹き付けノズル５４及び水吹き付けノズル５５が備えられる排出部チャンバー殺菌装置５３が設けられる。
【００５３】
殺菌剤吹き付けノズル５４は、一流体スプレーまたは殺菌剤を圧縮エアと混合して噴霧する二流体スプレーが使用され、殺菌剤を排出部チャンバー４９内の全域に付着するように吹き付ける。吹き付けられた殺菌剤により、排出部チャンバー４９内が殺菌される。殺菌剤吹き付けノズル５４は、排出部チャンバー４９内の全域に殺菌剤が付着するように配置される。殺菌剤はボトル２を殺菌するために使用される殺菌剤と同様のものが使用でき、過酢酸や過酸化水素を含む殺菌剤を使用することが好ましい。殺菌剤の吹き付けは、異なる殺菌剤を複数回吹き付けても構わない。
【００５４】
殺菌剤吹き付けノズル５４から殺菌剤を吹き付けた後に、水吹き付けノズル５５により、排出部チャンバー４９の全域に水が吹き付けられる。当該水により、排出部チャンバー４９内に残存する殺菌剤が洗浄される。水吹き付けノズル５５は、水が排出部チャンバー４９の全域に吹き付けられるように配置される。水は、１２１℃以上で４分以上加熱されたり、除菌フィルターを通すことで無菌化されて使用される。排出部チャンバー４９内に水吹き付けノズル５５から吹き付けられる水は６０℃〜１００℃に加熱されることが好ましい。水吹き付けノズル５５としては、例えばスピンボールを用いたスプレーノズルが使用される。水吹き付けノズル５５を設けないで、殺菌剤吹き付けノズル５４から水を吹き付けても構わない。
【００５５】
また、排出部チャンバー４９には図７に示すように、無菌エア供給装置５６が備えられる。無菌エア供給装置５６は排出部チャンバー４９の上部に接続される。無菌エア供給装置５６はブロワ５７、加熱装置５８及び除菌フィルタ５９を備える。ブロワ５７によるエアが加熱装置５８により加熱され、除菌フィルタ５９により除菌された後に、無菌エアとなって排出部チャンバー４９内に供給される。
【００５６】
無菌エア供給装置５６から供給される無菌エア（常温又は加温）により、排出部チャンバー４９に残存する水吹き付けノズル５５から吹き付けられた水を気化させて除去する。この時、無菌エアが加熱されることで水の気化による除去が迅速に行われる。また、無菌エア供給装置５６は、無菌充填機稼働時に排出部チャンバー４９内の無菌性を維持するため、排出部チャンバー４９内に無菌エアを供給する。この場合、無菌エアは加熱される必要はない。
【００５７】
排出部チャンバー４９内への殺菌剤の吹き付け前に、水酸化ナトリウムや水酸化カリウム等のアルカリ性化合物の水溶液を吹き付けて排出部チャンバー内を洗浄しても構わない。また、殺菌剤の吹き付け後に水吹き付けを行わずに、無菌ホットエアを吹き付けても構わない。
【００５８】
無菌エアの供給により排出部チャンバー４９内は陽圧に保たれ、排出部チャンバー４９から流出する無菌エアは、ボトル排出のための開口から排気される。排出部チャンバー４９に排気装置を設けて排気しても構わない。排出部チャンバー４９内は陽圧に保たれるが、無菌エアにより陽圧を保つ充填部チャンバー４１内よりも低い圧力に設定される。例えば、充填部チャンバー４１の内部圧力が２０Ｐａ〜４０Ｐａの範囲にある場合、排出部チャンバー４９の内部圧力は充填チャンバーの内部よりも低い圧力であって、例えば、１０Ｐａ〜３０Ｐａに設定される。また、排出部チャンバー４９内を殺菌、洗浄する際、排出部チャンバー４９内の圧力が高くなるため、充填部チャンバー４１内の圧力を５０Ｐａ以上、好ましくは１００Ｐａ以上に設定する。
【００５９】
無菌充填機稼働前の殺菌において、殺菌剤吹き付けノズル５４により、殺菌剤が吹き付けられることにより、除菌フィルタ５９の表面も殺菌することができる。除菌フィルタ５９の表面の殺菌は過酸化水素水のガス若しくはミスト又はこれらの混合物により殺菌することが好ましい。
【００６０】
殺菌剤の吹き付け、水の吹き付け及び無菌エアの供給の順序、回数は任意であり、排出部チャンバー４９内が殺菌される条件であればどのようなものでも構わない。
【００６１】
無菌雰囲気に維持される排出部４７からボトル２は図８に示すように、排出コンベヤ４８により搬送されて非無菌ゾーンに排出される。排出コンベヤ４８は第１コンベヤ６０、中間コンベヤ６１及び第２コンベヤ６２を備える。中間コンベヤ６１は無菌ゾーンと非無菌ゾーンを循環する。非無菌ゾーンに出た中間コンベヤ６１は殺菌剤槽６３の殺菌剤に浸漬されて殺菌され、無菌ゾーンに還る。非無菌ゾーンにおいて中間コンベヤ６１が菌等により汚染されても、殺菌剤槽６３に浸漬されることにより中間コンベヤ６１は殺菌されるため、汚染が無菌ゾーンに持ち込まれることはない。
【００６２】
図８に示すように、排出部チャンバー４９はボトル２が排出される箇所は開口されている。開口部の面積を極小化するために、中間コンベヤ６１の下部も遮蔽され、遮蔽板は殺菌剤槽６３の殺菌剤の液中に釣支されても構わない。
【００６３】
殺菌剤槽６３に供給される殺菌剤は過酢酸、過酸化水素、次亜塩素酸ナトリウム等の化合物を含み、液状であって殺菌能力を有するものであれば、どのようなものでも構わない。
【００６４】
第１コンベヤ６０、中間コンベヤ６１及び第２コンベヤ６２は図９に示すように、細いコンベヤチェーン６４の複数からなり、全てのコンベヤチェーン６４は同じ速度で動く。第１コンベヤ６０と中間コンベヤ６１及び中間コンベヤ６１と第２コンベヤ６２の接続部は、端から斜めに各コンベヤチェーン６４が継合されている。このような継合により、ボトル２は支障なくコンベヤ間を搬送される。しかし、継合の隙間にペタロイド脚２ａが入り込むとボトル２が転倒することがある。
【００６５】
第１コンベヤ６０と中間コンベヤ６１の間で転倒した場合は、排出部チャンバー４９を開放し、転倒したボトル２を排除しなければならない。従来は多数の装置を備える容積の大きい充填部チャンバー４１を開放しなければならなかった。しかし、本実施形態によれば装置が少なく、容積も小さな排出部チャンバー４９のみを殺菌することにより無菌充填機を再度稼働させることができる。よって、無菌充填機の停止時間を短くすることができる。
【００６６】
本発明の実施形態について、図１に基づいて詳細に説明した。説明した実施形態は、プリフォーム１を成形して得られるボトル２を殺菌する無菌充填機であった。しかし、プリフォーム１を殺菌する無菌充填機であっても構わない。以下に他の実施形態としての、プリフォーム１を殺菌する殺菌部を備える無菌充填機について説明する。
【００６７】
図１に示すホイール７において図１０に示すようにプリフォーム１の殺菌を行うこともできる。図１０（Ｉ）に示すように、殺菌剤のガスが殺菌剤ガス吹き付けノズル３１からプリフォーム１に吹き付けられる。殺菌剤のガスの生成には、ボトル２の殺菌に使用する殺菌剤ガス生成器５０と同様のものが使用される。また、殺菌剤も同様のものが使用され、殺菌剤は少なくとも過酸化水素を含有していることが好ましく、その含有量は０．５質量％〜６５質量％の範囲が適当である。０．５質量％未満では殺菌力が不足する場合があり、６５質量％を超えると安全上、扱いが困難となる。また、さらに好適なのは０．５質量％〜４０質量％であり、４０質量％以下では扱いがより容易である。
【００６８】
殺菌剤のガスの吹き付け量は任意であるが、殺菌剤が過酸化水素水の場合、プリフォーム１への過酸化水素の付着量は、３５質量％の過酸化水素を含む過酸化水素水の量として０．００１μＬ／ｃｍ2〜０．５μＬ／ｃｍ2が好ましい。付着量が０．００１μＬ／ｃｍ2よりも少ない場合は、十分な殺菌効果を得ることができない。また、この付着量が０．５μＬ／ｃｍ2を超えると、プリフォーム１をボトル２にブロー成形した場合に、ボトル２に白化、斑点、皺、変形の成形不良が発生したり、ボトル２の過酸化水素の残留が多くなる。
【００６９】
殺菌剤のガスは殺菌剤ガス吹き付けノズル３１からプリフォーム１に向かって吹き付けられるが、図１０（Ｉ）に示すように、殺菌剤のガスは、殺菌剤ガス吹き付けノズル３１内で二手に分かれて流れ、その一方がノズル３１ａからプリフォーム１の内部に向かって吹き付けられ、他方がプリフォーム１の外面に向かってノズル３１ｂに設けられた吹き出し口から吹き付けられても構わない。殺菌剤のガスは、殺菌剤ガス吹き付けノズル３１から出た後、ガス状態のままで、若しくはガスが凝結したミストとなって又はそれらの混合物となって、プリフォーム１の内部に流入し、あるいはプリフォーム１の外面に吹き付けられる。
【００７０】
なお、殺菌剤ガス吹き付けノズル３１、ノズル３１ａ，３１ｂには、これらの途中から、無菌ホットエアを供給することにより、ノズル３１ａ、３１ｂでの殺菌剤の結露を防止するようにしてもよい。
【００７１】
また、プリフォーム１の内部に向かって吹き付けられる殺菌剤のガスの周辺は、傘状部材６５で覆われる。プリフォーム１内に流入した殺菌剤のガス若しくはミスト又はこれらの混合物は、プリフォーム１の口部１ａから溢れ出るが、この溢れ出たガス等の流れは傘状部材６５に衝突し、傘状部材６５の内面に設けられた環状溝６５ａに案内されて、プリフォーム１の外面へと向かって流れを変え、プリフォーム１の外面に吹き付けられようにしても構わない。
【００７２】
このように、殺菌剤のガス若しくはミスト又はこれらの混合物がプリフォーム１の内外面に吹き付けられることにより、プリフォーム１の表面に付着した菌等が殺菌される。
【００７３】
なお、図１０（Ｉ）に示したプリフォーム１への殺菌剤のガスの吹き付けの直前に、プリフォーム１に熱風を吹き付ける等してプリフォーム１を予備加熱してもよい。この予備加熱によりプリフォーム１の殺菌効果をさらに高めることができる。
【００７４】
また、殺菌剤ガス吹き付けノズル３１は一個のみならず、複数個をプリフォーム１の走行路に沿って配置し、これら殺菌剤吹き付けノズル３１から殺菌剤のガスをプリフォーム１に向かって吹き付けるようにしても構わない。
【００７５】
殺菌剤のガスが吹き付けられたれたプリフォーム１は、図１０（Ｊ）に示すように、グリッパ２２により把持され、搬送されつつエア吹き付けノズル６６によって無菌エアが吹き付けられても構わない。殺菌剤の種類や量により、無菌エアの吹き付けは行わなくても構わない。
【００７６】
無菌エアの吹き付けにより、プリフォーム１の表面に付着した殺菌剤が活性化され、プリフォーム１の内外面の菌等が殺菌される。また、無菌エアの吹き付けによって、プリフォーム１に付着した殺菌剤は、プリフォーム１の表面から速やかに除去される。プリフォーム１に付着した殺菌剤は、加熱炉１２内に入る以前に無菌エアの吹き付けによりプリフォーム１から除去される。
【００７７】
無菌エアは常温でも構わないが、加熱されて無菌ホットエアとすることで、殺菌効果が高まり、殺菌剤が過酸化水素を含有する場合は、過酸化水素のプリフォーム１への残留も減少する。無菌エアの加熱は、プリフォーム１に吹き付けられる無菌ホットエアの温度が４０℃から１４０℃となるようにすることが好ましい。４０℃未満では加熱による効果が少なく、プリフォーム１の温度が７０℃を超えるとプリフォーム１の口部１ａの変形などの不都合を生じるため、無菌ホットエアの温度は１４０℃を超えないことが好ましい。
【００７８】
図１０（Ｊ）に示すように、無菌エアはエア吹き付けノズル６６の主体をなす箱状のマニホルド６６ｂに形成したスリット状の吹出口６６ａから吹き出すようになっている。
【００７９】
図１０（Ｉ）に示す殺菌剤のガスのプリフォーム１への吹き付けと図１０（Ｊ）に示すプリフォーム１への無菌エアの吹き付けは図１のホイール７で行うが、ホイール７を覆うプリフォーム殺菌チャンバー６７は殺菌剤が成形部１６に流入することを防止するために排気される。
【００８０】
本発明の実施形態において、殺菌はプリフォーム１に対して行っても、ボトル２に対して行っても、また、プリフォーム１とボトル２の両方に対して行っても構わない。プリフォーム１のみを殺菌する場合、雰囲気遮断チャンバー２７、ボトル殺菌を行う殺菌部３０は不要である。また、エアリンス部３４は設けなくても構わない。
【００８１】
本発明は以上説明したように構成されるが、上記実施の形態に限定されるものではなく、本発明の要旨内において種々変更可能である。
【符号の説明】
【００８２】
１…プリフォーム
２…ボトル
１２…加熱炉
１６…成形部
２０…金型
２２…グリッパ
２４…検査機
３０…殺菌部
３１…殺菌剤ガス吹き付けノズル
３４…エアリンス部
３９…充填部
４４…密封部
４８…排出コンベヤ
４９…排出部チャンバー
５０…殺菌剤ガス生成器
５３…排出部チャンバー殺菌装置
５６…無菌エア供給装置
【図１】
2018065599.tif 000003
【図２】
2018065599.tif 000004
【図３】
2018065599.tif 000005
【図４】
2018065599.tif 000006
【図５】
2018065599.tif 000007
【図６】
2018065599.tif 000008
【図７】
2018065599.tif 000009
【図８】
2018065599.tif 000010
【図９】
2018065599.tif 000011
【図１０】
2018065599.tif 000012
【手続補正書】
【提出日】平成29年12月21日(2017.12.21)
【手続補正１】
【補正対象書類名】特許請求の範囲
【補正対象項目名】全文
【補正方法】変更
【補正の内容】
【特許請求の範囲】
【請求項１】
少なくとも殺菌部、充填部及び密封部を有するボトルの無菌充填機において、
前記密封部の下流に、密封後のボトルを無菌ゾーンから非無菌ゾーンに排出する排出装置を備える排出部を遮蔽する排出部チャンバーを設け、当該排出部チャンバーが、当該排出部チャンバー内に殺菌剤を吹き付ける殺菌剤吹き付けノズル、及び当該排出部チャンバー内に無菌エアを供給する無菌エア供給装置を備えることを特徴とする無菌充填機。
【請求項２】
請求項１に記載の無菌充填機において、
前記排出装置が少なくとも前記無菌ゾーンから非無菌ゾーンを循環する排出コンベヤを備え、当該排出コンベヤが殺菌剤に浸漬される殺菌剤槽を備えることを特徴とする無菌充填機。
【請求項３】
少なくとも、プリフォーム又はボトルを殺菌する殺菌工程、殺菌された内容物を前記ボトルに無菌雰囲気で充填する充填工程、殺菌されたキャップにより前記内容物が充填された前記ボトルを無菌雰囲気で密封する密封工程からなる無菌充填方法において、
前記密封工程後に、密封された前記ボトルを、遮蔽され、殺菌剤、水及び無菌加熱エアを順次吹き付けることにより殺菌された後に、無菌エアを供給することにより無菌雰囲気に維持された排出部チャンバー内に搬送し、当該排出部チャンバーから前記ボトルを非無菌ゾーンに排出することを特徴とする無菌充填方法。
【請求項４】
請求項３に記載の無菌充填方法において、
前記ボトルを前記排出部チャンバー内と前記非無菌ゾーンを循環する排出コンベヤにより搬送することで、前記ボトルを前記排出部チャンバーから前記非無菌ゾーンに排出し、当該排出コンベヤを殺菌剤に浸漬することを特徴とする無菌充填方法。
【手続補正２】
【補正対象書類名】明細書
【補正対象項目名】００１１
【補正方法】変更
【補正の内容】
【００１１】
本発明に係る無菌充填機は、少なくとも殺菌部、充填部及び密封部を有するボトルの無菌充填機において、前記密封部の下流に、密封後のボトルを無菌ゾーンから非無菌ゾーンに排出する排出装置を備える排出部を遮蔽する排出部チャンバーを設け、当該排出部チャンバーが、当該排出部チャンバー内に殺菌剤を吹き付ける殺菌剤吹き付けノズル、及び当該排出部チャンバー内に無菌エアを供給する無菌エア供給装置を備えることを特徴とする。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】変更
【補正の内容】
【００１５】
本発明に係る無菌充填方法は、少なくとも、プリフォーム又はボトルを殺菌する殺菌工程、殺菌された内容物を前記ボトルに無菌雰囲気で充填する充填工程、殺菌されたキャップにより前記内容物が充填された前記ボトルを無菌雰囲気で密封する密封工程からなる無菌充填方法において、前記密封工程後に、密封された前記ボトルを、遮蔽され、殺菌剤、水及び無菌加熱エアを順次吹き付けることにより殺菌された後に、無菌エアを供給することにより無菌雰囲気に維持された排出部チャンバー内に搬送し、当該排出部チャンバーから前記ボトルを非無菌ゾーンに排出することを特徴とする。
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】